(57)【特許請求の範囲】
【請求項１】
一つの時間区間に複数の連続あるいは非連続の周波数領域が割り当てられ，前記時間区間において構成される無線フレームを用いてデータを送信する送信装置と，前記送信装置からの前記無線フレームを用いて送信されるデータを受信する受信装置とが存する無線通信システムであって，
送信装置は，無線フレームの先頭に受信装置において受信品質の測定に用いられる既知信号であるパイロットと受信装置において復調処理の制御に用いられる制御信号とを配置した無線フレームを，受信装置に送信し，
受信装置は，前記パイロットを用いて測定された受信品質に関する情報である受信品質情報を，送信装置に送信し，
送信装置は，
前記受信品質情報を送信した受信装置に対する制御情報を制御し，
前記受信品質情報を送信した受信装置に対する制御情報を含まない無線フレームフォーマットを用いてデータの送信処理を実行する
ことを特徴とする無線通信システム。
【請求項２】
一つの時間区間に複数の連続あるいは非連続の周波数領域が割り当てられ，前記時間区間において構成される無線フレームを用いてデータを送信する送信装置と，前記送信装置からの前記無線フレームを用いて送信されるデータを受信する受信装置とが存する無線通信システムであって，
送信装置は，無線フレームの先頭に受信装置において受信品質の測定に用いられる既知信号であるパイロットと受信装置において復調処理の制御に用いられる制御信号とを配置した無線フレームを，受信装置に送信し，
前記パイロットと前記制御信号とが配置された前記無線フレームを受信した受信装置は，当該受信装置に対する制御情報を含まない無線フレームフォーマットを用いたデータの送信処理の実行を要求する信号を，送信装置に送信し，
前記要求信号を送信した受信装置は，前記無線フレームフォーマットを用いた送信装置からのデータの受信処理を行う，
ことを特徴とする無線通信システム。
【請求項３】
一つの時間区間に複数の連続あるいは非連続の周波数領域が割り当てられ，前記時間区間において構成される無線フレームを用いてデータを送信する送信装置と，前記送信装置からの前記無線フレームを用いて送信されるデータを受信する受信装置とが存する無線通信システムにおける送信装置であって，
無線フレームの先頭に受信装置において受信品質の測定に用いられる既知信号であるパイロットと受信装置において復調処理の制御に用いられる制御信号とを配置した無線フレームを送信し，
前記パイロットを用いて測定された受信品質に関する情報である受信品質情報を受信し，
前記受信品質情報を送信した受信装置に対する制御情報を制御し，
前記受信品質情報を送信した受信装置に対する制御情報を含まない無線フレームフォーマットを用いてデータの送信処理を実行する
ことを特徴とする送信装置。
【請求項４】
一つの時間区間に複数の連続あるいは非連続の周波数領域が割り当てられ，前記時間区間において構成される無線フレームを用いてデータを送信する送信装置と，前記送信装置からの前記無線フレームを用いて送信されるデータを受信する受信装置とが存する無線通信システムにおける受信装置であって，
無線フレームの先頭に受信装置における受信品質の測定に用いられる既知信号であるパイロットと受信装置における復調処理の制御に用いられる制御信号とを配置した無線フレームを受信し，
前記パイロットと前記制御信号とが配置された前記無線フレームを受信したことに応じて，当該受信装置に対する制御信号を含まない無線フレームフォーマットを用いたデータの送信処理の実行を要求する信号を，送信装置に送信し，
前記要求信号を送信したことに応じて，前記無線フレームフォーマットを用いた送信装置からのデータの受信処理を行う，
ことを特徴とする受信装置。
【請求項５】
時間と複数の連続あるいは非連続の周波数とで規定される領域を用いて通信を行う無線通信システムにおいて，
データとパイロットのみを送信する領域1と，データ，パイロット，及び制御信号を送
信する領域2を設定し，該領域を用いて送信を行う送信部を備えた送信装置と，
該領域2で送信された制御信号を用いて該領域1で送信されたデータを受信する受信部を備える受信装置とで，
構成されたことを特徴とする無線通信システム。
【発明の詳細な説明】
【技術分野】
【０００１】
本発明は，無線フレーム可変制御による最適な無線通信システム，送信装置，及び受信装置に関する。
【背景技術】
【０００２】
図１は，第３世代の高速移動体通信システムの国際標準規格として，3GPP (Third Generation Partnership Project)により仕様の標準化されている無線フォーマットを示す図である。
【０００３】
特に図１においては，ｎ番目のフレーム分のみを示している。したがって，ｎ番目のフレームの前後に図示していない（ｎ−１）番目のフレーム及び，（ｎ＋１）番目のフレームが連続する。
【０００４】
また，図１において，縦方向即ち周波数軸方向に複数の連続あるいは非連続の周波数領域が割り当てられる。そして，周波数領域は，互いに位相が直交するように周波数分割されているので，干渉は起こらない。
【０００５】
また，横方向即ち，時間方向に複数のＯＦＤＭ（直交周波数分割多重）シンボルが配置されて１フレームが構成されている。
【０００６】
ここで，一つのＯＦＤＭ（直交周波数分割多重）シンボルが，1TTI（Transmission Time Interval）に対応する。
【０００７】
さらに，各フレームの時間軸方向の先頭において，周波数軸方向に共通パイロットチャネル(common pilot channel)１と，制御チャネル（control channel）２が組として配置されている。そして，これらがそれぞれのユーザあるいは，異なるチャネル対応に設定される。
【０００８】
上記の共通パイロットチャネル１は，サブフレームの区切りを示し，全てのユーザに対してパイロットを見てＳＮＲ（信号対雑音比）及び受信レベルを計算するタイミングを与える。また，制御チャネル２は，信号データの変調方式に対応した復調情報を有している。
【０００９】
このように，従来はフレーム毎に共通パイロットチャネル１及び制御チャネル２を有する固定のフレームフォーマットを用いる構成であった。
【００１０】
かかる固定のフレームフォーマットを用いる場合は，移動体通信システムにおいて，送信側装置（基地局）と受信側装置（移動端末）との間の回線の状況により回線速度を上げられる状況であっても適宜に対応することが困難であった。
【００１１】
かかる点に鑑みて，本出願人は先に適切なフレームパターンを使用することにより，その結果チャネル推定精度を改善し，基地局全体のスループットを改善することを提案している（特許文献１）。
【先行技術文献】
【特許文献】
【００１２】
【特許文献１】特願２００５−３４５３２５号
【発明の概要】
【発明が解決しようとする課題】
【００１３】
しかし，前記特許文献１おいて提示される発明は，フレーム間でのパイロットチャネルの分散数を制御するものである。たとえば，受信品質が良好な端末，例えば低速移動中の端末に対してパイロットチャネルシンボル数の増減あるいはフレーム間でのパイロットチャネルシンボルの分散数を減少して基地局のスループットの劣化を防止している。
【００１４】
したがって，本発明の目的は，パイロットチャネルシンボルだけでなく，より柔軟に制御チャネルシンボルに対しても減少を可能とする無線フレーム可変制御による最適な無線通信システム，送信装置，及び受信装置を提供することにある。
【課題を解決するための手段】
【００１５】
上記の目的を達成する本発明の第１の側面は，一つの転送時間区間に複数の連続あるいは非連続の周波数領域が割り当てられ，所定数の転送時間区間でフレームが構成されるデータフレームを送信する送信側装置と，前記送信側装置からのデータフレームを受信する受信側装置を有する無線通信システムであって，送信側装置は，フレームの先頭に共通パイロットチャネルと制御チャネルとを乗せてデータフレームを受信側装置に送信し，前記受信側装置は，前記データフレームの受信品質を測定し，前記測定される受信品質に基づきフレームタイプを決定して，前記決定されたフレームタイプを送信側装置に通知し，前記送信側装置は，前記通知されたフレームタイプに対応するフレームフォーマットで以降のフレームデータを受信側装置に送ることを特徴とする。
【００１６】
また，第２の側面として，一つの転送時間区間に複数の連続あるいは非連続の周波数領域が割り当てられ，所定数の転送時間区間でフレームが構成されるデータフレームを送信する送信側装置と，前記送信側装置からのデータフレームを受信する受信側装置を有する無線通信システムであって，送信側装置は，フレームの先頭に共通パイロットチャネルと制御チャネルとを乗せてデータフレームを受信側装置に送信し，前記受信側装置は，前記フレームの受信品質を測定して，前記測定される受信品質を前記送信側装置にフィードバックし，前記送信側装置は，前記フィードバックされた受信品質に基づきフレームタイプを決定して，前記決定されたフレームタイプに対応するフレームフォーマットで以降のフレームデータを受信側装置に送ることを特徴とする。
【００１７】
かかる両側面において，更に前記受信品質に基づき決定されるフレームタイプは，前記共通パイロットチャネル及び制御チャネルのうち，少なくとも前記制御チャネルを含まないフレームフォーマットであって，受信品質を予め設定された受信品質の閾値と比較して決められる特性を維持できるフレーム数を含むことを特徴とする。
【００１８】
上記の本発明の特徴により，受信品質が要項名受信側装置に対しては，パイロットチャネルシンボルだけでなく，より柔軟に制御チャネルシンボル対しても減少を可能とする。したがって，かかるチャネルシンボルが減少した分，データシンボルに置き換えることが可能であるので，より柔軟に高速のデータ伝送が可能である。
【図面の簡単な説明】
【００１９】
【図１】第３世代の高速移動体通信システムの国際標準規格として，3GPPにより仕様の標準化されている無線フォーマットを示す図である。
【図２】本発明に従う無線フレーム可変制御による最適な無線通信方法を適用する第１の実施例の送信側装置の概略構成ブロック図である。
【図３】図２の送信側装置に対応する受信側装置の概略構成ブロック図である。
【図４】第１の実施例における送信側装置と受信装置間の処理シーケンスを示すフロー図である。
【図５】本発明に従うフレームタイプの例（その１）を説明する図である。
【図６】本発明に従うフレームタイプの例（その２）を説明する図である。
【図７】フレームタイプ決定のフローを示す図である。
【図８】受信側装置から送信側装置に送られる通知フレームの一例を示す図である。
【図９】送信側装置から受信側装置に送出されるフレームフォーマットの例である。
【図１０】第２の実施例における送信側装置の構成例ブロック図である。
【図１１】第２の実施例における受信側装置の構成例ブロック図である。
【図１２】第２の実施例における送信側装置と受信装置間の処理シーケンスを示すフロー図である。
【発明を実施するための形態】
【００２０】
以下に図面に従い本発明の実施の形態例を説明する。なお，実施の形態例は本発明の理解のためのものであり，本発明の適用がこれら実施の形態例に限定されるものではない。
【００２１】
図２は，本発明に従う無線フレーム可変制御による最適な無線通信方法を適用する第１の実施例の送信側装置の概略構成ブロック図である。図３は，図２の送信側装置に対応する受信側装置の概略構成ブロック図である。
【００２２】
そして，一態様として，図２の送信側装置は，基地局装置であり，図３の受信側装置は移動端末が対応する。
【００２３】
図４は，第１の実施例における送信側装置と受信装置間の処理シーケンスを示すフロー図である。
【００２４】
図４において，図２の送信側装置１００から受信側装置２００に対し，フレームタイプＡで，フレーム信号を送信する（ステップＳ１）。
【００２５】
ここで，フレームタイプＡとは，図１に示した従来のフレームフォーマットであり，フレームの先頭に共通パイロットチャネル１と制御チャネル２を有している。
【００２６】
図２に示す送信側装置１００は，データ生成部１０１で送信データを，パイロット生成部１０２でパイロット信号を生成する。
【００２７】
ついで，多重部１０３で送信データとパイロット信号を入力して時分割多重する。時分割多重化され直列信号はＳ／Ｐ変換部１０４で直並列変換される。ついで，直並列変換された並列信号は逆離散フーリエ変換（ＩＤＦＴ）部１０５により時間系列の信号に変換し，更にＰ／Ｓ変換部１０６により直列信号に変換される。この直列信号は，送信部１０７により適宜の変調方式により変調され，電力増幅されてアンテナ１０８から送信信号Ｔｘとして送出される。
【００２８】
さらに，図２において，アンテナ１０９により受信した受信信号Ｒｘに対し，受信処理を行う。受信部１１０で受信処理された信号から復調／復号部１１１で制御チャネルを抽出する。この制御チャネルには，受信側での受信レベル情報等が含まれているので，本発明に従い多重部１０３での多重処理，即ちフレームタイプの設定を行う。
【００２９】
図３の受信側装置２００の構成は，図２の送信側装置と実質逆の処理機能を有している。
【００３０】
受信部２１０，Ｓ／Ｐ変換部２０２，離散フーリエ変換（ＤＦＴ）部２０３，Ｐ／Ｓ変換部２０４，復調部２０５及び,復号部２０６は，それぞれ図２に示した送信側装置の送信部１０７，Ｐ／Ｓ変換部１０６，逆離散フーリエ変換（ＩＤＦＴ）部１０５，Ｓ／Ｐ変換部１０４,多重部１０３及び，データ生成部１０１に対応する処理機能と逆の機能処理を行う。したがって，これらの部位について更なる説明は省略する。
【００３１】
本発明に従って備えられる構成は，復号部２０６で復号された信号レベルを参照して受信品質情報を生成する受信品質情報生成部２０７の出力に基づいて，後に説明するフレームタイプを決定するフレーム決定部２０８を有している。フレーム決定部２０８により決定されたフレーム情報は，送信部２０９により送信アンテナ２１０から送信側装置１００に向けて送出される。
【００３２】
ここで，フレームタイプとは，本発明に従い次のように説明される。
【００３３】
図５，図６は，本発明に従うフレームタイプの例（その１，その２）を説明する図である。
【００３４】
図５において，フレームｎは，図１に示したフレームタイプＡであり，フレームの先頭に共通パイロットチャネル１と制御チャネル２を有している。その他のフレーム領域にユーザデータが乗せられる。
【００３５】
これに対し，図５において，フレームｎ＋１は，制御チャネル２を有さず，この領域はユーザデータを更に乗せる領域として使用される。かかるフレームフォーマットのタイプを以降フレームタイプＢという。したがって，フレームタイプＢは，フレームタイプＡに対して，空けられた制御チャネル領域分，ユーザデータが多く乗せられる。
【００３６】
図５は，更にフレームタイプＡを１フレーム分有し，その後のフレームはフレームタイプＢが従続する構成である。
【００３７】
図６に示すフレームフォーマットでは，フレームタイプＡに続くフレームフォーマットには，共通パイロットチャネル１の領域をユーザデータデータ埋め，制御チャネル２と，ユーザデータのみが乗せられている。これを以降フレームタイプＣと呼ぶ。
【００３８】
さらに，フレームタイプＣに続くフレームフォーマットにはユーザデータのみが乗せられ，共通パイロットチャネル１も制御チャネル２も乗せられていない。これを以降フレームタイプＤと呼ぶ。
【００３９】
そして，かかる図５及び図６に示すフレームタイプは，図２に示す送信側装置１００において，受信側装置２００からの制御チャネルに従ってフレームタイプが設定され，送信制御される。
【００４０】
すなわち，図４において，送信側装置１００からのフレームタイプＡのフレームフォーマットが受信側装置２００に送信されると（ステップＳ１），受信側装置２００は，図７に示す処理フローに従って使用するフレームタイプを決定する。
【００４１】
ここで，上記のフレームタイプは，受信品質に応じて適用が可能である。
【００４２】
受信側装置２００で受信した受信データの受信品質に応じて，フレームタイプ及びフレーム数をフレーム決定部２０８により決定し，対応するフレーム情報を出力する。
【００４３】
図７に，このフレームタイプ決定のフローを示す。図７において，送信側装置１００からフレームタイプＡの信号が送られ，これを受信する（ステップＳ１０）。
【００４４】
受信したフレームタイプＡの信号に基づき受信品質を受信品質情報生成部２０７で測定する（ステップＳ１１）。
【００４５】
すなわち，フレームタイプＡ(通常フレーム)時に，数フレームの平均などにより受信品質を測定する（ステップＳ１１）。
【００４６】
フレーム決定部２０８に，予め受信品質の閾値を２種類(第１閾値，第２閾値)設定しておき，測定した受信品質と各閾値を比較して（ステップＳ１２，Ｓ１３），フレームタイプを決定する。
【００４７】
例えば，受信側装置２００（移動端末）の移動速度が速い場合に伝搬環境が良くないと，当然，受信品質は悪くなり(第１1閾値以下：ステップＳ１２，Ｎｏ)，フレームタイプＡでの通信となる。
【００４８】
受信側装置２００の移動速度が遅くなり，受信品質が良くなってくると(第１閾値以上かつ第２閾値以下：ステップＳ１３，Ｎｏ)，フレームタイプＢおよびＣを選択するようになる（ステップＳ１４）。
【００４９】
さらに，移動端末が静止するなどして，受信品質が特に良くなると(第２閾値以上：ステップＳ１３，Ｙｅｓ)，フレームタイプＤでの通信を行なう。
【００５０】
ここで，一例としてフレームタイプＡ，Ｂ，Ｃ及びＤを次のように定義する。
【００５１】
フレームタイプＡ（図５）： 通常フレーム(パイロットCH＋制御CH＋データCH)
フレームタイプＢ（図５）： 制御CH無しフレーム(パイロットCH＋データCH)
フレームタイプＣ（図６）： パイロットCH無しフレーム(制御CH+データCH)
フレームタイプＤ（図６）： データCHのみのフレームである。
【００５２】
フレームタイプＢ，Ｃ，Ｄでは，それぞれのフレームにおいては，制御CHやパイロットCHを有していないので，最後に受信し，保存されている制御CHやパイロットCHを基準にして，データCHの復調処理や受信品質測定処理を行なう。
【００５３】
上記フレームタイプにおいて，単純に，１ユーザ分(１フレームで２ｘ７=１４シンボルと仮定)の伝送容量(スループット)を比較すると，フレームタイプＤを用いた場合では，フレームタイプＡの場合の約１．２７倍の伝送可能容量となる。
【００５４】
このように，フレームタイプが，フレーム決定部２０８により決定されると，受信側装置２００から送信側装置１００に図８に一例を示す通知フレームによりフレーム情報が通知される（ステップＳ２：図４）。
【００５５】
すなわち，図８に示すフレーム情報において，制御チャネルに付加する内容として，フレームタイプＩと，フレーム数IIとする。
【００５６】
フレームタイプＩを示す情報に，２ビット（bit）で４種類(フレームタイプＡ〜Ｄ)を割り当てる。フレーム数IIを示す情報に，１０ビットを割り当て，決定したフレームタイプの連続送信数を通知する。フレーム数０の場合は，フレームタイプＩの値は無効となる。
【００５７】
ここで，フレーム数IIは，受信品質を予め設定された受信品質の閾値と比較して決められる特性を維持できるフレーム数である。一方法として，受信品質の閾値に対応して予めフレームタイプＩと組み合わせて特性を維持できるフレーム数として設定しておくように構成できる。
【００５８】
ついで，送信側装置１００は，受信側装置２００から通知されるフレーム情報を制御チャネル復調／復号部１１１で認識して，これに対応するようにデータ生成部１０１及び多重部１０３による送出フレームを制御する（ステップＳ３：図４）。
【００５９】
図９は，上記実施例に従い，送信側装置１００から受信側装置２００に送出されるフレームフォーマットの例である。
【００６０】
このフレームフォーマットに従うと，送信側装置１００（基地局）からは，各ユーザの状態に応じて，フレームタイプを使い分けている。
【００６１】
ユーザ１ : フレームｎから，フレームタイプＡで送信している。
【００６２】
ユーザ２ : フレームｎ+１から，フレームタイプＢで送信している。
【００６３】
ユーザ３ : フレームｎ+２から，フレームタイプＤで送信している。
【００６４】
このようにユーザ毎にフレームタイプを個別にすることも可能である。
【００６５】
上記に説明した実施の形態例では，受信側装置（移動端末）２００で受信品質を測定し，送信側装置（基地局）１００へフレームタイプおよびフレーム数を要求しているが，移動端末からフィードバックされた受信品質情報により，基地局側でフレームタイプおよびフレーム数を決定することも可能である。
【００６６】
さらに，基地局側からの送信データ量が少ない場合，データCHをパディングする代わりにパイロットCHを挿入して送信する。移動端末側では各フレームの最後に受信したパイロットCHをチャネル推定測定用に採用する。
【００６７】
送信データ量に応じた複数のフレームタイプを用意することで，各移動端末装置に適した通信が行える。
【００６８】
図１０，図１１は，第２の実施例として，受信側装置（移動端末）２００からフィードバックされた受信品質情報より，送信側装置（基地局）１００でフレームタイプおよびフレーム数を決定する場合の送信側装置１００及び受信側装置２００の構成例ブロック図である。また，図１２は，かかる第２の実施例における送信側装置と受信装置間の処理シーケンスを示すフロー図である。
【００６９】
第１の実施例との相違は，フレーム決定部１１２が送信側装置１００にある点である（図１０）。したがって，受信側装置２００には，かかるフレーム決定部を有していない（図１１）。
【００７０】
図１２に示す処理シーケンスにおいて，送信側装置１００から通常のフレームタイプＡのフレームフォーマットを送信する（ステップＳ２０）。したがって，受信側装置２００の受信品質情報生成部２０７で，フレームタイプＡのフレームフォーマットの受信時の品質を示す情報を生成する。
【００７１】
例えば，チャネル推定値に基づき，信号対雑音比（ＳＮＲ）が求められる。他の例として，受信品質情報生成部２０７は，ビット誤り率(ＢＥＲ)を求めるようにしても良い。求められた受信品質情報は，送信側装置１００にフィードバックされる（ステップＳ２１）。
【００７２】
送信側装置１００において，受信したフィードバック情報がフレーム決定部１１２へ渡される。フレーム決定部１１２では，受信品質のフィードバック情報に基づき，受信側装置２００が次回データ受信時に必要なフレームタイプとフレーム数を決定し，送信フレーム内の制御チャネル情報に付加し，受信側装置２００へ通知する（ステップＳ２３）。これにより，以降，受信側装置２００は，制御チャネル報に応じてデータの復調処理を行うことができる。
【００７３】
以上説明したように，本発明に従えば，ユーザ毎にフレームタイプとフレーム数を可変とすることで，ユーザの伝搬状態に応じて最適となる伝送が可能である。
【００７４】
（付記１）
一つの転送時間区間に複数の連続あるいは非連続の周波数領域が割り当てられ，所定数の転送時間区間でフレームが構成されるデータフレームを送信する送信側装置と，前記送信側装置からのデータフレームを受信する受信側装置を有する無線通信システムであって，
送信側装置は，フレームの先頭に共通パイロットチャネルと制御チャネルとを乗せてデータフレームを受信側装置に送信し，
前記受信側装置は，前記データフレームの受信品質を測定し，前記測定される受信品質に基づきフレームタイプを決定して，前記決定されたフレームタイプを送信側装置に通知し，
前記送信側装置は，前記通知されたフレームタイプに対応するフレームフォーマットで以降のフレームデータを受信側装置に送る
ことを特徴とする無線通信システム。
【００７５】
（付記２）
一つの転送時間区間に複数の連続あるいは非連続の周波数領域が割り当てられ，所定数の転送時間区間でフレームが構成されるデータフレームを送信する送信側装置と，前記送信側装置からのデータフレームを受信する受信側装置を有する無線通信システムであって，
送信側装置は，フレームの先頭に共通パイロットチャネルと制御チャネルとを乗せてデータフレームを受信側装置に送信し，
前記受信側装置は，前記フレームの受信品質を測定して，前記測定される受信品質を前記送信側装置にフィードバックし，
前記送信側装置は，前記フィードバックされた受信品質に基づきフレームタイプを決定して，前記決定されたフレームタイプに対応するフレームフォーマットで以降のフレームデータを受信側装置に送る
ことを特徴とする無線通信システム。
【００７６】
（付記３）
付記１または２において，
前記受信品質に基づき決定されるフレームタイプは，前記共通パイロットチャネル及び制御チャネルのうち，少なくとも前記制御チャネルを含まないフレームフォーマットであって，受信品質を予め設定された受信品質の閾値と比較して決められる特性を維持できるフレーム数を含むことを特徴とする無線通信システム。
【００７７】
（付記４）
付記３において，
前記少なくとも制御チャネルを含まないフレームフォーマットにおける，前記制御チャネルの空き領域に送信データを乗せるように，前記フレームフォーマットを構成することを特徴とする無線通信システム。
【００７８】
（付記５）
付記１または２において，複数の連続あるいは非連続の周波数領域のそれぞれを複数のユーザに割当て，
前記複数のユーザの対応する受信側装置のそれぞれにおける受信品質に対応して異なるフレームタイプが決定されることを特徴とする無線通信システム。
【００７９】
（付記６）
付記１または２において，
前記送信側装置の送信データ量が少ない場合，前記フレームフォーマットにおけるデータチャネルシンボル数を減少し，該データチャネルシンボル数が減少した分に対応して共通パイロットチャネルシンボル数を増加することを特徴とする無線通信システム。
【００８０】
（付記７）
一つの転送時間区間に複数の連続あるいは非連続の周波数領域が割り当てられ，所定数の転送時間区間でフレームが構成されるデータフレームを送信する送信側装置と，前記送信側装置からのデータフレームを受信する受信側装置を有する無線通信システムにおける前記受信側装置であって，
フレームの先頭に共通パイロットチャネルと制御チャネルとを乗せてデータフレームを受信側装置に受信し，
前記受信したデータフレームの受信品質を測定し，
前記測定された受信品質と予め設定された受信品質の閾値と比較して，少なくとも前記制御チャネルを含まないフレームフォーマットと，特性を維持できるフレーム数を決定し，
前記決定されたフレームフォーマットとフレーム数の情報を前記送信側装置にフィードバックする
ことを特徴とする受信側装置。
【００８１】
（付記８）
一つの転送時間区間に複数の連続あるいは非連続の周波数領域が割り当てられ，所定数の転送時間区間でフレームが構成されるデータフレームを送信する送信側装置と，前記送信側装置からのデータフレームを受信する受信側装置を有する無線通信システムにおける前記送信側装置であって，
フレームの先頭に共通パイロットチャネルと制御チャネルとを乗せて受信側装置に送出されたデータフレームに対する前記受信側装置における受信品質情報を前記受信側装置から受信し，
前記受信された受信品質情報に基づき，前記受信装置側の受信品質と予め設定された受信品質の閾値と比較して，少なくとも前記制御チャネルを含まないフレームフォーマットと，特性を維持できるフレーム数を決定し，
前記決定されたフレームフォーマットで，前記決定されたフレーム数のデータフレームを前記受信側装置に送信する
ことを特徴とする送信側装置。
【００８２】
(付記９)
無線通信システムにおける送受信方法であって，
送信側装置から，フレームの先頭に共通パイロットチャネルと制御チャネルとを乗せてデータフレームを送信して受信側装置で受信し、
前記データフレームの受信品質を前記受信側装置で測定し，
前記測定される受信品質に基づきフレームタイプを決定し，
前記通知されたフレームタイプに対応するフレームフォーマットで以降のフレームデータを受信側装置に前記送信側装置から送る
ことを特徴とする無線通信システム。
【符号の説明】
【００８３】
１００  送信側装置（基地局）
２００  受信側装置（移動端末）
１０１  データ生成部
１０２  パイロット生成部
１０３  多重部
１０４，２０２  Ｓ／Ｐ変換部
１０５  ＩＤＦＴ部
１０６，２０４  Ｐ／Ｓ変換部
１０７，２０９  送信部
１１０，２１０  受信部
１１１  制御チャネル復調／復号部
１０８，１０９，２１０  アンテナ
２０３  ＤＦＴ部
２０５  復調部
２０６  復号部
２０７  受信品質生成部
２０８  フレーム決定部
２１１  チャネル推定部
【図１】
0005482751.tif 000002
【図２】
0005482751.tif 000003
【図３】
0005482751.tif 000004
【図４】
0005482751.tif 000005
【図５】
0005482751.tif 000006
【図６】
0005482751.tif 000007
【図７】
0005482751.tif 000008
【図８】
0005482751.tif 000009
【図９】
0005482751.tif 000010
【図１０】
0005482751.tif 000011
【図１１】
0005482751.tif 000012
【図１２】
0005482751.tif 000013